(57)【要約】【課題】プラネタリウム、ドームスクリーンシアター等で用いるに好適なドーム型スクリーンを提供する。【解決手段】ほぼ半球ドーム型に構築された骨組み構造体２と、前記骨組み構造体２の内側に沿う形でドーム状に張り込まれたスクリーン材３と、を有するドーム型スクリーン１であって、前記スクリーン材３が、織布又は編布又は不織布を主体としてなり音響透過率が８０％ないしそれ以上のスクリーン材であることを特徴とする。【選択図】図１
2015084043.tif 000002
【特許請求の範囲】
【請求項１】
ほぼ半球ドーム型に構築された骨組み構造体と、前記骨組み構造体の内側に沿う形でドーム状に張り込まれたスクリーン材と、を有するドーム型スクリーンであって、前記スクリーン材が、織布又は編布又は不織布を主体とし音響透過率が８０％ないしそれ以上のスクリーン材であることを特徴とするドーム型スクリーン。
【請求項２】
前記スクリーン材の音響透過率が９０％ないしそれ以上とされていることを特徴とする請求項１に記載のドーム型スクリーン。
【請求項３】
前記スクリーン材の映像投影面に対して、スクリーン材が地のままである場合よりも指向特性を狭くするように機能するコーティング層を施したことを特徴とする請求項１または２に記載のドーム型スクリーン。
【請求項４】
前記コーティング層を施したスクリーン材の指向特性がほぼ±４５°であることを特徴とする請求項３に記載のドーム型スクリーン。
【発明の詳細な説明】
【技術分野】
【０００１】
本発明は、プラネタリウム、ドームスクリーンシアター等で用いるに好適なドーム型スクリーンに関する。
【背景技術】
【０００２】
ドーム型スクリーンは、一般的には、ほぼ半球ドーム型（おわん状）に構築した骨組み構造体のドーム内面に沿う形でスクリーン材がドーム状に張り込まれて構成されている。スクリーン材としては、特許文献１に記載されるように、スクリーン面（表面）が白系に塗装され、径１.５〜２ｍｍ程度の孔を全面的に多数形成した形態のパンチングアルミパネルが一般的に用いられている。
【０００３】
パネルに多数形成されている孔を通してドーム型スクリーンの外側に配設されているスピーカーから出力される音響がドーム型スクリーンの内側の観客に伝えられる。また、ドーム型スクリーンの内側の反響音はパネルに多数形成されている孔を通してドーム型スクリーンの外側に抜けてドーム型スクリーンの外側に配設されている吸音材により吸音されて、ドーム内の音の反響が防止される。
【先行技術文献】
【特許文献】
【０００４】
【特許文献１】特開２０１０−２６２２１０号公報
【発明の概要】
【発明が解決しようとする課題】
【０００５】
先行技術は、スクリーン材がアルミパネルであり比重が比較的小さいとしても金属である。そのため、ドーム型スクリーンが大型化するほど半球ドーム型骨組み構造体に張り込まれるアルミパネルの総重量は大きくなり、それを支持する半球ドーム型骨組み構造体も堅牢なものとされることから、構築費が増大することになる。
【０００６】
また、アルミパネルには上記の音響効果を得るために全面的に多数の孔が形成されている。しかし、ドーム型スクリーンの外側のスピーカーからの音は上記の孔だけを透過するのでドーム型スクリーンの内側への出力波は平面波化して、音の定位感が悪く、また指向特性も狭くなる傾向となって音が拡がらず、迫力のある音響効果が得にくくなる。
【０００７】
また、スクリーン材として全面的に多数の孔が形成されたアルミパネルは孔の無いものよりも映像の投射時に孔形成部位が目立ち、映像が乱れたりして画質が低下する傾向がある。
【０００８】
また、現在のドーム型スクリーンの指向特性はほぼ完全拡散である。即ち、すべての方向で輝度は一定（一様な明るさ）であり、入射光をすべての方向に反射してドーム内の他の場所へも反射する。そのため、ドーム型スクリーンの場合は画像表示をすると上記の反射のために画像コントラストが低下する傾向がある。
【０００９】
本発明は上記の課題を克服したドーム型スクリーンを提供することを目的とする。
【課題を解決するための手段】
【００１０】
上記の目的を達成するための本発明に係るドーム型スクリーンの代表的な構成は、ほぼ半球ドーム型に構築された骨組み構造体と、前記骨組み構造体の内側に沿う形でドーム状に張り込まれたスクリーン材と、を有するドーム型スクリーンであって、前記スクリーン材が、織布又は編布又は不織布を主体としてなり音響透過率が８０％ないしそれ以上のスクリーン材であることを特徴とする。
【発明の効果】
【００１１】
本発明によれば、音圧レベルや音質の低下を招くことなく、ドーム型スクリーンの外側のスピーカーからの出力音をドーム型スクリーンの内側に透過させられる。つまり、音透過率（開口率）が８０％ないしそれ以上のスクリーン材を使用する場合、若干のレベル低下は起こるものの、そのレベル低下は２ｄＢ程度であるので、音響効果を損なうことは殆どない。また、音の定位感が良好となり、その指向特性も球面波形状に拡げられるので、迫力のある良好な音響効果が得られる。
【００１２】
さらに、スクリーン材にはピンホールを設けていないので、映像の投射時に映像が乱れたりすることなく良好な画質が得られ、しかも液晶プロジェクタを使用するような場合でも、映像の再現性が良好になって長時間にわたる鑑賞時に目が疲れない。
【００１３】
また、スクリーン材は布製であり従来のアルミパネルよりも単位面積当たりの重量が格段に小さい。従って、それを支持する半球ドーム型骨組み構造体もスクリーン材がアルミパネルである場合に比べてその堅牢性が緩和されることから構築費を大幅に低減することが可能となる。
【００１４】
また、前記スクリーン材の映像投影面に対して、スクリーン材が地のままである場合よりも指向特性を狭くするように機能するコーティング層を施すことにより画像コントラストを改善することができる。
【図面の簡単な説明】
【００１５】
【図１】実施例のドーム型スクリーンの構成を示す縦断面概略図である。
【図２】完全拡散によるコントラスト低下を示す図
【図３】指向性のあるスクリーンの検討を示す図（その１）
【図４】指向性のあるスクリーンの検討を示す図（その２）
【図５】指向性のあるスクリーンの検討を示す図（その３）
【発明を実施するための形態】
【００１６】
［実施例］
図１は本発明に従うドーム型スクリーン１の構成を示す縦断面概略図である。２はほぼ半球ドーム型に構築された骨組み構造体である。３はこの骨組み構造体２の内側に沿う形でドーム状に張り込まれたスクリーン材である。４はドーム型スクリーン１内の中央部に配設された投影装置である。５はドーム型スクリーン１の外側の適所に配設されたスピーカーである。また、ドーム型スクリーン１を設置した建屋（不図示）とドーム型スクリーン１との間には吸音材（不図示）が配設されている。
【００１７】
骨組み構造体２は、金属型材、木材、合成樹脂材等の多くの縦横フレーム材を締結させて少なくとも内面側ができるだけ半球ドーム面形状になるように組み上げた骨組み構築物である。この骨組み構造体２のドーム内面に沿う形でスクリーン材３がドーム状に張り込まれてドーム型スクリーン１が構築されている。
【００１８】
スクリーン材３は織布又は編布又は不織布を主体としてなり音響透過率が８０％ないしそれ以上のスクリーン材である。この音響透過率が８０％ないしそれ以上のスクリーン材は特開２０００−１０１９３号公報で公知である。本発明はこのスクリーン材を利用してドーム型スクリーン１を構築するものである。
【００１９】
スクリーン材３は音響透過率が８０％ないしそれ以上となるように製造された織布又は編布又は不織布を主体とする。音響透過率が８０％ないしそれ以上であれば、織布又は編布又は不織布の単層のスクリーン材でなくともよい。たとえば、織布と編布と不織布を適宜に組み合わせて、更には他の機能材料層も組み合わせて積層した複合層構成のスクリーン材としてもよい。
【００２０】
スクリーン材３の映像投影面（スクリーン材表面）の色調は鮮明な投影像を得るためのスクリーン面として機能させるための色調に調整されている。スクリーン材３は適宜に裁断されたものが骨組み構造体２のドーム内面に沿う形で骨組み構造体２の縦横フレーム（格子：桟）に対して接着剤やその他適宜の定着手段により固定されてドーム状に張り込まれる。
【００２１】
スクリーン材３として織布又は編布又は不織布を主体としてなり音響透過率が８０％ないしそれ以上のものを用いたので、音圧レベルや音質の低下を招くことなく、ドーム型スクリーンの外側のスピーカー５からの出力音をドーム型スクリーンの内側に透過させられる。つまり、音透過率が８０％ないしそれ以上のスクリーン材を使用する場合、若干のレベル低下は起こるものの、そのレベル低下は２ｄＢ程度であるので、音響効果を損なうことは殆どない。また、音の定位感が良好となり、その指向特性も球面波形状に拡げられるので、迫力のある良好な音響効果が得られる。前記スクリーン材の音透過率を８０％以下にすると、出力音圧レベルが低下して音響効果が悪くなる。スクリーン材３としては、音透過率が９０％ないしそれ以上のものを用いることが好ましい。このスクリーン材を用いる場合、音圧レベルの低下は１ｄＢ程度となるので、音響効果が一層向上する。
【００２２】
さらに、スクリーン材にはピンホールを設けていないので、映像の投射時に映像が乱れたりすることなく良好な画質が得られ、しかも液晶プロジェクタを使用するような場合でも、映像の再現性が良好になって長時間にわたる鑑賞時に目が疲れない。なお、前記スクリーン材の音透過率を８０％以下にすると、出力音圧レベルが低下して音響効果が悪くなる。スクリーン材３としては、音透過率が９０％ないしそれ以上のものを用いることが好ましい。このスクリーン材を用いる場合、音圧レベルの低下は１ｄＢ程度となるので、音響効果が一層向上する。
【００２３】
スクリーン材２は布製であり従来のアルミパネルよりも単位面積当たりの重量が格段に小さい。従って、それを支持する半球ドーム型骨組み構造体もスクリーン材がアルミパネルである場合に比べてその堅牢性が緩和されることから構築費を大幅に低減することが可能となる。
【００２４】
また、現在のドーム型スクリーンの指向特性はほぼ完全拡散である。即ち、すべての方向で輝度は一定（一様な明るさ）であり、入射光をすべての方向に反射してドーム内の他の場所へも反射する。そのため、ドーム型スクリーンの場合は画像表示をすると上記の反射のために画像コントラストが低下する傾向がある（完全拡散によるコントラスト低下：図２）。
【００２５】
本発明者らの検討によれば、ドーム型スクリーンのスクリーン材の指向特性を狭くすることでコントラストが改善する（図３、図４）。そして、ドームで必要な指向特性はほぼ±４５°あれば十分であることが分かった（図５）。
【００２６】
上記の織布又は編布又は不織布を主体としてなり音響透過率が８０％ないしそれ以上のスクリーン材３について、そのような指向性のあるものにするために、そのスクリーン材３の表面に、上記の音響透過率を阻害しないようにして、スクリーン材３が地のままである場合よりも指向特性を狭くするように機能するコーティング層を施すことが好ましい。
【００２７】
そのようなコーティング層としては、例えば、光拡散剤としてのアルミ粉、チタンホワイト、樹脂分（展色材）としての塩化ビニルやアクリル樹脂、溶剤を適宜の割合で配合したコーティング剤を噴霧等の手段にてスクリーン材３の表面に対して上記の音響透過率を阻害しないようにして施すことで形成することができる。
【符号の説明】
【００２８】
１・・ドーム型スクリーン、２・・骨組み構造体、３・・スクリーン材、４・・投影装置、５・・スピーカー
【図１】
2015084043.tif 000003
【図２】
2015084043.tif 000004
【図３】
2015084043.tif 000005
【図４】
2015084043.tif 000006
【図５】
2015084043.tif 000007